(57)【要約】【課題】シンプルな構造で、処置具の先端処置部材を手元側からの操作により軸線周りに確実に回転させることができる内視鏡用処置具の回転機能付加アダプタを提供すること。【解決手段】可撓性と回転追従性とを併有する部材によって形成されて処置具２０を挿脱自在な処置具通過孔１２が長手方向に貫通形成され、内視鏡３０の処置具挿通チャンネル３３内に手元側から挿脱自在であって処置具挿通チャンネル３３の手元側端部から先端付近に達する長さを有する可撓管１１と、処置具通過孔１２に挿通された状態の処置具２０と可撓管１１の先端近傍部分とを軸線周りに相対的に回転しない状態に連結するための処置具連結手段１５と、可撓管１１を手元側から軸線周りに回転させる操作を行うために可撓管１１の基端側に連結された回転操作部材１６とが設けられている。【選択図】　　　図１
2004024550.tif 000002
【特許請求の範囲】
【請求項１】
可撓性と回転追従性とを併有する部材によって形成されて処置具を挿脱自在な処置具通過孔が長手方向に貫通形成され、内視鏡の処置具挿通チャンネル内に手元側から挿脱自在であって上記処置具挿通チャンネルの手元側端部から先端付近に達する長さを有する可撓管と、
上記処置具通過孔に挿通された状態の処置具と上記可撓管の先端近傍部分とを軸線周りに相対的に回転しない状態に連結するための処置具連結手段と、
上記可撓管を手元側から軸線周りに回転させる操作を行うために上記可撓管の基端側に連結された回転操作部材と
が設けられていることを特徴とする内視鏡用処置具の回転機能付加アダプタ。
【請求項２】
上記可撓管が、巻き方向の相違する複数のコイルパイプを重ね合わせて構成されている請求項１記載の内視鏡用処置具の回転機能付加アダプタ。
【発明の詳細な説明】
【０００１】
【発明の属する技術分野】
この発明は、内視鏡の処置具挿通チャンネルに通された処置具の先端を手元側から軸線周りに回転させることができるようにするための内視鏡用処置具の回転機能付加アダプタに関する。
【０００２】
【従来の技術】
体内病変部等に対する切除、採取その他の内視鏡的処置は、処置具を構成する細長い可撓性シースを内視鏡の処置具挿通チャンネルに通して行われ、内視鏡の挿入部の先端近傍に形成された湾曲部を遠隔操作によって屈曲させることにより、可撓性シースの先端に設けられた先端処置部材を目標部位に誘導することができる。
【０００３】
しかし、内視鏡用処置具の可撓性シースは一般に、直径が２ｍｍ程度で長さが１〜２ｍ程度の四フッ化エチレン樹脂製の可撓性チューブ又はステンレス鋼線を一定の径で密着巻きした密着巻きコイルパイプ等によって形成されている。
【０００４】
したがって、処置具が内視鏡の処置具挿通チャンネルに通されて不規則に屈曲された状態では手元側から先端まで回転動作が伝達されない場合が多く、病変部に対する先端処置部材の向き（軸線周りの回転方向）が不適切な場合にはその状態を修正することが困難である。
【０００５】
そこで、手元側からの操作で先端処置部材を軸線周りに回転させることができるように、先端処置部材の基部から側方に突設されたピンを、可撓性シースの先端の筒状体の内周面に形成された螺旋溝に係合させ、先端処置部材に連結した操作ワイヤを手元側から軸線方向に進退させることにより先端処置部材が軸線周りに回転するようにしたもの（実公昭５２−４０６１６号）や、それと類似の構成によって可撓性シースの先端部分自体が軸線周りに回転するようにしたもの（特開平５−１９２３４８号）等がある。
【０００６】
【発明が解決しようとする課題】
しかし、上述のような螺旋溝とピンを係合させた回転機構を可撓性シースの先端等に配置したものは、操作ワイヤを押し込み操作しても先端には回転力がほとんど発生しないだけでなく、操作ワイヤを引っ張り操作したときでも作動が極めて不確実で現実性が乏しかった。
【０００７】
そこで本発明は、シンプルな構造で、処置具の先端処置部材を手元側からの操作により軸線周りに確実に回転させることができる内視鏡用処置具の回転機能付加アダプタを提供することを目的とする。
【０００８】
【課題を解決するための手段】
上記の目的を達成するため、本発明の内視鏡用処置具の回転機能付加アダプタは、可撓性と回転追従性とを併有する部材によって形成されて処置具を挿脱自在な処置具通過孔が長手方向に貫通形成され、内視鏡の処置具挿通チャンネル内に手元側から挿脱自在であって処置具挿通チャンネルの手元側端部から先端付近に達する長さを有する可撓管と、処置具通過孔に挿通された状態の処置具と可撓管の先端近傍部分とを軸線周りに相対的に回転しない状態に連結するための処置具連結手段と、可撓管を手元側から軸線周りに回転させる操作を行うために可撓管の基端側に連結された回転操作部材とが設けられているものである。
【０００９】
なお、可撓管が、巻き方向の相違する複数のコイルパイプを重ね合わせて構成されていてもよい。
【００１０】
【発明の実施の形態】
図面を参照して本発明の実施例を説明する。
図１は、本発明の実施例の内視鏡用処置具の回転機能付加アダプタ１０を示しており、その大半の部分は、可撓性と回転追従性とを併有する部材によって形成された可撓管１１によって構成されている。
【００１１】
図２は、そのような可撓管１１の一例を示しており、例えばステンレス鋼線を一定の径で密着巻きした三つのコイルパイプ１１ａ，１１ｂ，１１ｃが巻き方向を順に相違させて三重に巻かれて構成されている。ただし、可撓管１１は可撓性と回転追従性とを併有していればよく、ステンレス鋼帯材の多重巻きその他の構成等であってもよい。
【００１２】
可撓管１１は内視鏡の処置具挿通チャンネル内に挿脱自在な寸法であって、処置具挿通チャンネルの手元側端部から先端付近に達するその長さＬはＬ＝１〜２ｍ程度、外径寸法Ｄは、Ｄ＝５ｍｍ程度である。また、可撓管１１を長手方向に貫通する内腔は処置具を挿脱自在な処置具通過孔１２になっていて、その直径寸法ｄはｄ＝３ｍｍ程度である。
【００１３】
図１に戻って、可撓管１１の先端部分に連結固定された長さが１ｃｍ程度の金属パイプ製の先端口金１３には、可撓管１１の処置具通過孔１２と段差なく連通する処置具通過孔１４が軸線位置に貫通形成されている。
【００１４】
先端口金１３には、処置具通過孔１２から処置具通過孔１４内にわたって挿通された状態の処置具２０を軸線周りに相対的に回転しない状態に連結するための処置具連結手段として止めビス１５が取り付けられており、止めビス１５を締め込むことにより処置具２０を先端口金１３に固定することができる。
【００１５】
ただし、処置具連結手段１５は、処置具２０を軸線周りに相対的に回転しない状態に連結及び解除することができるものであればよく、例えばキー溝等を利用してもよく、或いは処置具２０がきつく通される孔が形成されたゴムパイプ等であっても差し支えない。
【００１６】
可撓管１１の基端側には、可撓管１１を手元側から軸線周りに回転させる操作を行えるように例えば５ｃｍ程度の直径に形成された回転操作部材１６が連結固定されており、その回転操作部材１６には、処置具２０を差し込むためのテーパ状の処置具挿入孔１７が処置具通過孔１２に対して段差なく連通するように貫通形成されている。
【００１７】
図３は、上記実施例の回転機能付加アダプタ１０の使用状態を示しており、処置具２０の可撓性シース２１を回転機能付加アダプタ１０に通し、可撓性シース２１の先端に設けられている先端処置部材２２を先端口金１３の先端から突出させた状態で止めビス１５により固定する。可撓性シース２１の手元側に設けられている処置具操作部２３は、回転操作部材１６の入口の手前に位置する。
【００１８】
略示されている内視鏡３０には、挿入部３１とその手元側に連結されている操作部３２とにわたって処置具挿通チャンネル３３が配置されており、可撓管１１を処置具挿通チャンネル３３内に処置具挿入口３３ａから処置具突出口３３ｂの近傍まで挿入し、先端処置部材２２を内視鏡３０の挿入部３１の先端から前方に突出させる。
【００１９】
そのような状態になれば、先端処置部材２２により病変部を狙撃して内視鏡的処置を行うことができ、病変部に対する先端処置部材２２の向き（軸線周りの回転方向）が不適切な場合には、矢印Ａで示されるように手元側で回転操作部材１６を軸線周りに回転させる。
【００２０】
すると、内視鏡３０の挿入部３１が途中で不規則に屈曲していても、回転操作部材１６の回転が可撓管１１によって先端側に伝達され、先端処置部材２２が回転操作部材１６の回転に追従して矢印Ｂで示されるように回転するので、先端処置部材２２を病変部に対して最適の向きにセットして切除又は採取等の処置を円滑に行うことができる。
【００２１】
【発明の効果】
本発明の内視鏡用処置具の回転機能付加アダプタによれば、可撓性と回転追従性とを併有する部材によって形成された可撓管に処置具通過孔を貫通形成して、処置具通過孔に挿通された状態の処置具と可撓管の先端近傍部分とを連結することができるようにしたシンプルな構成により、可撓管の基端側に連結された回転操作部材を回転操作するだけで、処置具通過孔に通された処置具の先端処置部材を軸線周りに確実に回転させることができる。
【図面の簡単な説明】
【図１】本発明の実施例の回転機能付加アダプタの側面断面図である。
【図２】本発明の実施例の回転機能付加アダプタの可撓管の側面断面図である。
【図３】本発明の実施例の内視鏡用処置具の回転機能付加アダプタの使用状態の略示図である。
【符号の説明】
１０　回転機能付加アダプタ
１１　可撓管
１２　処置具通過孔
１３　先端口金
１５　止めビス（処置具連結手段）
１６　回転操作部材
２０　処置具
２１　可撓性シース
２２　先端処置部材
３０　内視鏡
３１　挿入部
３３　処置具挿通チャンネル
【図１】
2004024550.tif 000003
【図２】
2004024550.tif 000004
【図３】
2004024550.tif 000005